(57)【要約】  中央集約装置と張出装置との間のインタフェース方法であって、前記中央集約装置が、ユーザ装置に対する上り信号指示情報と前記ユーザ装置の識別子とを前記張出装置に送信するステップと、前記張出装置が、前記受信した上り信号指示情報から抽出した上り信号情報と前記識別子とを保持し、前記ユーザ装置に上り信号指示を送信するステップと、前記張出装置が、前記保持している上り信号情報及び前記識別子の一方又は双方に基づき、前記ユーザ装置から送信された上り信号を受信するステップと、前記張出装置が、前記上り信号からデータ情報を抽出すると共に、前記上り信号に基づき上り通信品質を推定し、前記抽出したデータ情報及び前記推定した上り通信品質の一方又は双方を前記中央集約装置に送信するステップと、前記中央集約装置が、前記張出装置から前記データ情報及び前記上り通信品質の一方又は双方を受信するステップとを有する方法に関する。
2017175606.tif 000002
【特許請求の範囲】
【請求項１】
中央集約装置と張出装置の間のインタフェース方法であって、  前記中央集約装置が、ユーザ装置に対する上り信号指示情報と前記ユーザ装置の識別子とを前記張出装置に送信するステップと、  前記張出装置が、前記受信した上り信号指示情報から抽出した上り信号情報と前記識別子とを保持し、前記ユーザ装置に上り信号指示を送信するステップと、  前記張出装置が、前記保持している上り信号情報及び前記識別子の一方又は双方に基づき、前記ユーザ装置から送信された上り信号を受信するステップと、  前記張出装置が、前記上り信号からデータ情報を抽出すると共に、前記上り信号に基づき上り通信品質を推定し、前記抽出したデータ情報及び前記推定した上り通信品質の一方又は双方を前記中央集約装置に送信するステップと、  前記中央集約装置が、前記張出装置から前記データ情報及び前記上り通信品質の一方又は双方を受信するステップと、を有する方法。
【請求項２】
前記上り信号情報は、前記ユーザ装置からの上り送信の周波数情報及びタイミング情報の１つ以上を含む、請求項１記載の方法。
【請求項３】
前記中央集約装置が、前記受信した上り通信品質に基づき前記ユーザ装置に対してアップリンク送信をスケジューリングするステップを更に有する、請求項１又は２記載の方法。
【請求項４】
前記中央集約装置が、前記張出装置及び他の張出装置に対してＣｏＭＰ（Ｃｏｏｒｄｉｎａｔｅｄ  Ｍｕｌｔｉ−ｐｏｉｎｔ  ｔｒａｎｓｍｉｓｓｉｏｎ／ｒｅｃｅｐｔｉｏｎ）を適用し、前記張出装置を介し前記ユーザ装置から受信した上り信号及び前記他の張出装置を介し前記ユーザ装置から受信した上り信号を復号することによって、前記ユーザ装置から送信されたデータ情報を取得するステップを更に有する、請求項１乃至３何れか一項記載の方法。
【請求項５】
前記中央集約装置は、前記ユーザ装置の近傍の他のユーザ装置について前記張出装置から受信した上り通信品質に基づき、前記ユーザ装置の上り通信品質を推定する、請求項１乃至４何れか一項記載の方法。
【請求項６】
スケジューリング機能を実行する中央集約装置と、  無線物理レイヤ機能を実行する張出装置と、を有する無線ネットワーク制御システムであって、前記中央集約装置は、  ユーザ装置に対してリソースをスケジューリングするスケジューリング部と、  前記張出装置とのインタフェースを提供する第１のフロントホールインタフェース部と、を有し、前記張出装置は、  前記中央集約装置とのインタフェースを提供する第２のフロントホールインタフェース部と、  前記ユーザ装置との無線通信を制御する無線制御部と、を有し、  前記第１のフロントホールインタフェース部は、前記スケジューリング部によって前記ユーザ装置に対してスケジューリングされたアップリンク送信について、上り信号指示情報と前記ユーザ装置の識別子とを前記第２のフロントホールインタフェース部に送信し、  前記第２のフロントホールインタフェース部は、前記上り信号指示情報と前記識別子とを受信し、前記上り信号指示情報から上り信号情報を抽出し、  前記無線制御部は、前記抽出した上り信号情報と前記識別子とを保持し、前記ユーザ装置に上り信号指示を送信し、前記保持している上り信号情報及び前記識別子の一方又は双方に基づき、前記ユーザ装置から送信された上り信号を受信し、  前記第２のフロントホールインタフェース部は、前記上り信号からデータ情報を抽出すると共に、前記上り信号に基づき上り通信品質を推定し、前記抽出したデータ情報及び前記推定した上り通信品質の一方又は双方を前記第１のフロントホールインタフェース部に送信し、  前記第１のフロントホールインタフェース部は、前記張出装置から前記データ情報及び前記上り通信品質の一方又は双方を受信する無線ネットワーク制御システム。
【発明の詳細な説明】
【技術分野】
【０００１】  本発明は、無線通信システムに関する。
【背景技術】
【０００２】  ＬＴＥ（Ｌｏｎｇ  Ｔｅｒｍ  Ｅｖｏｌｕｔｉｏｎ）システム及びＬＴＥ−Ａｄｖａｎｃｅｄシステムにおいて、トラフィックの高いホットスポットのようなエリアを効率よくサポートするために、装置コストを抑えながら多数のセルを収容することが可能なＣ−ＲＡＮ（Ｃｅｎｔｒａｌｉｚｅｄ−Ｒａｄｉｏ  Ａｃｃｅｓｓ  Ｎｅｔｗｏｒｋ）と呼ばれる技術が知られている。【０００３】  Ｃ−ＲＡＮは、ＲＵ（Ｒｅｍｏｔｅ  Ｕｎｉｔ）と呼ばれる１つ以上のリモート設置型の基地局と、ＤＵ（Ｄｉｇｉｔａｌ  Ｕｎｉｔ）と呼ばれるＲＵを集中制御する基地局とから構成されている。従来のＤＵは、基地局が備えるレイヤ１からレイヤ３までの機能を備えており、ＤＵで生成されたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号は、サンプリングされてＲＵに伝送され、ＲＵが備えるＲＦ（Ｒａｄｉｏ  Ｆｒｅｑｕｅｎｃｙ）機能部から送信される。
【先行技術文献】
【非特許文献】
【０００４】
【非特許文献１】ＲＷＳ−１５００５１
【非特許文献２】ＲＷＳ−１５００１０
【発明の概要】
【発明が解決しようとする課題】
【０００５】  次に、５Ｇで検討されているＣ−ＲＡＮ構成について説明する。図１において、４Ｇ−ＤＵ及び４Ｇ−ＲＵは、ＬＴＥ−Ａｄｖａｎｃｅｄの機能（ＬＴＥの機能を含む）を有するＤＵ及びＲＵを意味している。また、５Ｇ−ＤＵ及び５Ｇ−ＲＵは、第５世代（５Ｇ）の無線技術の機能を有するＤＵ及びＲＵを意味している。４Ｇ−ＤＵと５Ｇ−ＤＵとの間は、ＬＴＥにおけるＸ２−ＡＰ及びＸ２−Ｕインタフェースを拡張したインタフェースにより接続される。また、ＤＵとＲＵとの間をつなぐネットワーク回線はフロントホール（Ｆｒｏｎｔｈａｕｌ：ＦＨ）と呼ばれ、ＬＴＥではＦＨにＣＰＲＩ（Ｃｏｍｍｏｎ  Ｐｕｂｌｉｃ  Ｒａｄｉｏ  Ｉｎｔｅｒｆａｃｅ）が用いられている。【０００６】  現在のＬＴＥでは、レイヤ１（物理レイヤ：Ｌ１）及びレイヤ２（ＭＡＣ（Ｍｅｄｉｕｍ  Ａｃｃｅｓｓ  Ｃｏｎｔｒｏｌ）、ＲＬＣ（Ｒａｄｉｏ  Ｌｉｎｋ  Ｃｏｎｔｒｏｌ）及びＰＤＣＰ（Ｐａｃｋｅｔ  Ｄａｔａ  Ｃｏｎｖｅｒｇｅｎｃｅ  Ｐｒｏｔｏｃｏｌ）：Ｌ２）の機能は、ＤＵ側に実装されることが前提とされている。【０００７】  現在検討が進められている５Ｇでは、１０Ｇｂｐｓ以上のピークレート及びさらなる低遅延化が実現される予定である。従って、５Ｇが導入されると、ピークレートの向上に伴いＦＨに必要な帯域も飛躍的に増大することになる。そこで、ＤＵに実装されているレイヤの一部をＲＵ側で実現することで、ＦＨで伝送される情報量を削減することが検討されている。どのレイヤの機能をＲＵ側で実現するかについては、様々なバリエーションが考えられる。【０００８】  一例として、ＤＵが備えるレイヤ１の機能の全部又は一部をＲＵで実現する案が検討されている。これにより、無線物理レイヤ機能がＲＵにおいて実現されるため、フロントホールにおける所要伝送帯域が削減できる。一方、ＭＡＣスケジューラ機能はＤＵにおいて実行されることがセル間連携の観点から望ましい。しかしながら、ＭＡＣスケジューラ機能が適切なＰＵＳＣＨスケジューリング及び信号合成を実行するには、無線チャネル品質を取得及び測定するＬ１機能部との連携が必要である。このため、ＤＵのＭＡＣ機能部とＲＵのＬ１機能部との間でフロントホールを介し必要な制御情報を送受信する必要がある。【０００９】  従来のＤＵでは、ＭＡＣ機能部とＬ１機能部とが単一の装置内にあったため、ユーザ装置（Ｕｓｅｒ  Ｅｑｕｉｐｍｅｎｔ：ＵＥ）からのアップリンク送信のための情報は、Ｌ１機能部とＭＡＣ機能部との間で容易に送受信可能である。しかしながら、上述したように、Ｌ１機能部とＭＡＣ機能部とをそれぞれＲＵとＤＵとに分離した場合、ＤＵとＲＵとを連結する回線によってはアップリンク送信のための情報を送受信することが困難になるか、あるいは、非効率になると考えられる。【００１０】  上述した問題点を鑑み、本発明の課題は、無線物理レイヤ機能を有するＲＵとスケジューリング機能を有するＤＵとの間で効率的なアップリンク送信のスケジューリングを実現するためのインタフェースを提供することである。
【課題を解決するための手段】
【００１１】  上記課題を解決するため、本発明の一態様は、中央集約装置と張出装置との間のインタフェース方法であって、前記中央集約装置が、ユーザ装置に対する上り信号指示情報と前記ユーザ装置の識別子とを前記張出装置に送信するステップと、前記張出装置が、前記受信した上り信号指示情報から抽出した上り信号情報と前記識別子とを保持し、前記ユーザ装置に上り信号指示を送信するステップと、前記張出装置が、前記保持している上り信号情報及び前記識別子の一方又は双方に基づき、前記ユーザ装置から送信された上り信号を受信するステップと、前記張出装置が、前記上り信号からデータ情報を抽出すると共に、前記上り信号に基づき上り通信品質を推定し、前記抽出したデータ情報及び前記推定した上り通信品質の一方又は双方を前記中央集約装置に送信するステップと、前記中央集約装置が、前記張出装置から前記データ情報及び前記上り通信品質の一方又は双方を受信するステップとを有する方法に関する。【００１２】  本発明の他の態様は、スケジューリング機能を実行する中央集約装置と、無線物理レイヤ機能を実行する張出装置とを有する無線ネットワーク制御システムであって、前記中央集約装置は、ユーザ装置に対してリソースをスケジューリングするスケジューリング部と、前記張出装置とのインタフェースを提供する第１のフロントホールインタフェース部とを有し、前記張出装置は、前記中央集約装置とのインタフェースを提供する第２のフロントホールインタフェース部と、前記ユーザ装置との無線通信を制御する無線制御部とを有し、前記第１のフロントホールインタフェース部は、前記スケジューリング部によって前記ユーザ装置に対してスケジューリングされたアップリンク送信について、上り信号指示情報と前記ユーザ装置の識別子とを前記第２のフロントホールインタフェース部に送信し、前記第２のフロントホールインタフェース部は、前記上り信号指示情報と前記識別子とを受信し、前記上り信号指示情報から上り信号情報を抽出し、前記無線制御部は、前記抽出した上り信号情報と前記識別子とを保持し、前記ユーザ装置に上り信号指示を送信し、前記保持している上り信号情報及び前記識別子の一方又は双方に基づき、前記ユーザ装置から送信された上り信号を受信し、前記第２のフロントホールインタフェース部は、前記上り信号からデータ情報を抽出すると共に、前記上り信号に基づき上り通信品質を推定し、前記抽出したデータ情報及び前記推定した上り通信品質の一方又は双方を前記第１のフロントホールインタフェース部に送信し、前記第１のフロントホールインタフェース部は、前記張出装置から前記データ情報及び前記上り通信品質の一方又は双方を受信する無線ネットワーク制御システムに関する。
【発明の効果】
【００１３】  本発明によると、無線物理レイヤ機能を有するＲＵとスケジューリング機能を有するＤＵとの間で効率的なアップリンク送信のスケジューリングを実現するためのインタフェースを提供することができる。
【図面の簡単な説明】
【００１４】
【図１】図１は、５Ｇで検討されているＣ−ＲＡＮ構成例を示す図である。
【図２】図２は、本発明の一実施例による無線通信システムを示す概略図である。
【図３】図３は、本発明の一実施例によるＤＵのハードウェア構成を示すブロック図である。
【図４】図４は、本発明の一実施例によるＲＵのハードウェア構成を示すブロック図である。
【図５】図５は、本発明の一実施例によるアップリンク送信処理を示すシーケンス図である。
【図６】図６は、本発明の一実施例によるＤＵ−ＲＵ間のＣｏＭＰ処理を示す概略図である。
【図７】図７は、本発明の一実施例によるＵＥグループ化を示す概略図である。
【図８】図８は、本発明の一実施例による無線ネットワーク制御システムの機能構成を示すブロック図である。
【図９】図９は、本発明の一実施例による基地局及びユーザ装置のハードウェア構成を示すブロック図である。
【発明を実施するための形態】
【００１５】  以下、図面に基づいて本発明の実施の形態を説明する。
【００１６】  以下の実施例では、スケジューリング機能を有するＤＵとして機能する中央集約装置と、無線物理レイヤ機能を有するＲＵとして機能する張出装置とを有する無線ネットワーク制御システムが開示される。
【００１７】  後述する実施例を概略すると、中央集約装置が、ユーザ装置に対する上り信号指示情報とユーザ装置の識別子とを張出装置に送信すると、張出装置は、受信した上り信号指示情報から抽出した上り信号情報と識別子とを保持すると共に、ユーザ装置に上り信号指示を送信する。ここで、当該上り信号情報は、ユーザ装置によるアップリンク送信に用いられる何れかの情報であってもよい。張出装置は、保持している上り信号情報と識別子とに基づき、ユーザ装置から送信された上り信号を受信すると、上り信号からデータ情報を抽出すると共に、上り信号に基づき上り通信品質を推定する。張出装置は、抽出したデータ情報及び推定した上り通信品質の一方又は双方を中央集約装置に送信し、中央集約装置は、データ情報を受信すると共に、受信した上り通信品質に基づき、以降においてユーザ装置に対してアップリンク送信をスケジューリングする。このようにして、中央集約装置は、張出装置から取得した上り通信品質に基づき、ユーザ装置に対して適切なアップリンク送信をスケジューリングすることができる。
【００１８】  まず、図２を参照して、本発明の一実施例による無線通信システムを説明する。図２は、本発明の一実施例による無線通信システムを示す概略図である。
【００１９】  図２に示されるように、無線通信システム１０は、ＤＵ１００及びＲＵ２００を有する無線ネットワーク制御システム５０と、ユーザ装置３００とを有する。無線通信システム１０は、例えば、ＬＴＥシステム、ＬＴＥ−Ａｄｖａｎｃｅｄシステム又は５Ｇシステムなどの３ＧＰＰ（３ｒｄ  Ｇｅｎｅｒａｔｉｏｎ  Ｐａｒｔｎｅｒｓｈｉｐ  Ｐｒｏｊｅｃｔ）による規格に準拠した何れかの無線通信システムであってもよい。図示された実施例では、１つのＤＵ１００しか示されていないが、無線通信システム１０のサービスエリアをカバーするよう多数のＤＵ１００が配置される。また、図示された実施例では、ＤＵ１００は、２つのＲＵ２００と通信接続しているが、これに限定されることなく、任意数のＲＵ２００と通信接続してもよい。
【００２０】  ＤＵ１００は、１つ以上のＲＵ２００とフロントホールを介し通信接続され、ＲＵ２００を介しユーザ装置３００と通信する。以下の実施例では、ＤＵ１００は、スケジューリング機能を含むレイヤ２機能及びレイヤ３機能を有するが、これに限定されず、スケジューリング機能以外のレイヤ２機能及びレイヤ３機能の一部を有さなくてもよい。ここで、レイヤ１は物理レイヤと同義であり、レイヤ２はＭＡＣサブレイヤ、ＲＬＣサブレイヤ及びＰＤＣＰサブレイヤを含み、レイヤ３はＲＲＣ（Ｒａｄｉｏ  Ｒｅｓｏｕｒｃｅ  Ｃｏｎｔｒｏｌ）レイヤを含む。また、ＤＵ１００は、中央ユニット（ＣＵ）、中央デジタルユニット（ＣＤＵ）、中央集約装置、中央基地局などとして参照されてもよい。あるいは、ＤＵ１００は、単に基地局（ｅｎｈａｎｃｅｄ  ＮｏｄｅＢ：ｅＮＢ）として参照されてもよい。
【００２１】  図３に示されるように、ＤＵ１００は、ＲＵ間インタフェース（ＩＦ）１１、ベースバンド（ＢＢ）処理モジュール１２、装置制御モジュール１３及び通信インタフェース（ＩＦ）１４を有する。
【００２２】  ＲＵ間インタフェース１１は、ＲＵ２００と通信接続するためのインタフェースであり、ＤＵ１００とＲＵ２００とを接続するフロントホール（ＦＲ）の物理回線と接続し、ＦＨで用いられるプロトコルを終端する。
【００２３】  ベースバンド処理モジュール１２は、ＩＰ（Ｉｎｔｅｒｎｅｔ  Ｐｒｏｔｏｃｏｌ）パケットとＲＵ２００との間でやりとりされる信号とを相互変換する。ベースバンド処理モジュール１２は、信号処理を実行するＤＳＰ（Ｄｉｇｉｔａｌ  Ｓｉｇｎａｌ  Ｐｒｏｃｅｓｓｏｒ）１５と、ＤＳＰ１５のためのメモリ１６とを有する。
【００２４】  装置制御モジュール１３は、後述されるスケジューリング処理、各種情報及びパケットの生成等のＤＵ１００における各種処理を実行する。装置制御モジュール１３は、装置制御モジュール１３における処理を実行するプロセッサ１７、プロセッサ１７のためのメモリ１８及びＤＵ１００が動作するための各種プログラム及びデータ等を格納するための補助記憶装置１９を有する。
【００２５】  通信インタフェース（ＩＦ）１４は、コアネットワーク、他のＤＵ１００、他の装置等と接続するためのインタフェースである。
【００２６】  ＲＵ２００は、ＤＵ１００とフロントホールを介し通信接続されると共に、ユーザ装置３００との無線通信を実行する。ＤＵ１００とＲＵ２００とは、ＦＨで用いられるプロトコルに従って相互に通信する。以下の実施例では、ＲＵ２００は、レイヤ１機能及びＲＦ機能を有するが、これに限定されず、レイヤ２機能及びレイヤ３機能の一部を更に有してもよい。ＲＵ２００は、リモート無線ユニット（ＲＲＵ）、リモート無線アンテナ（ＲＲＡ）、リモート無線ヘッド（ＲＲＨ）、リモート基地局として参照されてもよい。あるいは、ＲＵ２００は、単に基地局として参照されてもよい。
【００２７】  図４に示されるように、ＲＵ２００は、ＲＦモジュール２１、ベースバンド処理モジュール２２、装置制御モジュール２３、ＤＵ間インタフェース（ＩＦ）２４及び通信インタフェース（ＩＦ）２５を有する。
【００２８】  ＲＦモジュール２１は、ＲＦ機能を実現し、ベースバンド処理モジュール２２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、ＲＦモジュール２１は、受信した無線信号に対して、周波数変換、Ａ／Ｄ（Ａｎａｌｏｇ−ｔｏ−Ｄｉｇｉｔａｌ）変換、復調等を行うことでデジタルベースバンド信号を生成し、ベースバンド処理モジュール２２にわたす。
【００２９】  ベースバンド処理モジュール２２は、ＤＵ間ＩＦ２４を介してＤＵ１００と送受信される信号とデジタルベースバンド信号とを相互変換する。ベースバンド処理モジュール２２は、信号処理を実行するＤＳＰ２６と、ＤＳＰ２６のためのメモリ２７とを有する。
【００３０】  装置制御モジュール２３は、後述されるような各種情報の生成、抽出、処理等のＲＵ２００における各種処理を実行する。装置制御モジュール２３は、装置制御モジュール２３における処理を実行するプロセッサ２８、プロセッサ２８のためのメモリ２９及びＲＵ２００が動作するための各種プログラム及びデータ等を格納するための補助記憶装置３０を有する。
【００３１】  ＤＵ間インタフェース２４は、ＤＵ１００と通信接続するためのインタフェースであり、ＤＵ１００とＲＵ２００とを接続するフロントホール（ＦＲ）の物理回線と接続し、ＦＨで用いられるプロトコルを終端する。
【００３２】  通信インタフェース２５は、他の装置等と接続するためのインタフェースである。
【００３３】  ユーザ装置３００は、ＲＵ２００により提供されるセルを介しＲＵ２００と無線信号を送受信する。典型的には、ユーザ装置３００は、図示されるように、スマートフォン、携帯電話、タブレット、モバイルルータ、ウェアラブル端末などの無線通信機能を備えた何れか適切な情報処理装置であってもよい。
【００３４】  次に、図５を参照して、本発明の一実施例によるＤＵ−ＲＵ間のインタフェース処理を説明する。図５は、本発明の一実施例によるアップリンク送信処理を示すシーケンス図である。当該アップリンク送信処理は、例えば、ＲＵ２００を介しユーザ装置３００から受信したアップリンク送信に対するスケジューリングリクエストに応答して、ＤＵ１００がユーザ装置３００にアップリンク送信のためのリソースをスケジューリングすることによって開始される。
【００３５】  図５に示されるように、ステップＳ１０１において、ＤＵ１００は、ユーザ装置３００に対する上り信号指示情報とユーザ装置３００の識別子とをＲＵ２００に送信する。すなわち、ユーザ装置３００にアップリンクグラントを通知するため、ＤＵ１００は、アップリンク送信を指示する上り信号指示情報にユーザ装置３００の識別子を付与し、識別子が付与された上り信号指示情報をＲＵ２００に送信する。
【００３６】  ここで、上り信号指示情報は、ユーザ装置３００に対してスケジューリングされたリソース、送信方式等を示す上り信号情報を含む。例えば、当該上り信号情報は、ユーザ装置３００からの上り送信の周波数情報及びタイミング情報の１つ以上を含むものであってもよく、具体的には、送信キャリア情報、周波数ホッピングの有無、周波数割当て位置、ＭＣＳ（Ｍｏｄｕｌａｔｉｏｎ  ａｎｄ  Ｃｏｄｉｎｇ  Ｓｃｈｅｍｅ）、ＲＶ（Ｒｅｄｕｎｄａｎｃｙ  Ｖｅｒｓｉｏｎ）、新規データか否かを示すフラグ、サイクリックシフト及びコード多重等を含む符号化情報、ＣＳＩ（Ｃｈａｎｎｅｌ  Ｓｔａｔｅ  Ｉｎｆｏｒｍａｔｉｏｎ）要求の有無等であってもよい。しかしながら、本発明による上り信号情報は、これに限定されず、ユーザ装置３００がアップリンク送信するのに用いられる何れかの情報を含むものであってもよい。
【００３７】  また、ユーザ装置３００の識別子は、例えば、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ（Ｓｅｍｉ−Ｐｅｒｓｉｓｔｅｎｔ  Ｓｃｈｅｄｕｌｉｎｇ）  Ｃ−ＲＮＴＩ、スケジューリングされたＰＤＣＣＨ（Ｐｈｙｓｉｃａｌ  Ｄｏｗｎｌｉｎｋ  Ｃｏｎｔｒｏｌ  Ｃｈａｎｎｅｌ）のＣＣＥ（Ｃｏｎｔｒｏｌ  Ｃｈａｎｎｅｌ  Ｅｌｅｍｅｎｔ）インデックス、Ｓ−ＴＭＳＩ（ＳＡＥ−Ｔｅｍｐｏｒａｒｙ  Ｍｏｂｉｌｅ  Ｓｕｂｓｃｒｉｂｅｒ  Ｉｄｅｎｔｉｔｙ）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＤＵ１００から通知されるＰＤＣＣＨに関連付けされたインデックス値、ｅＮＢ内で用いられるインプリシットな識別情報等であってもよい。なお、ＤＵ１００が、ユーザ装置３００に対してＳＰＳ又は繰り返し送信を設定した場合、２回目以降の各送信機会に対してユーザ装置３００にアップリンクグラントを送信するためのＰＤＣＣＨはスケジューリングされない。この場合、周波数割当て位置及び割当てタイミング等に基づきユーザ装置３００が特定されてもよい。
【００３８】  ステップＳ１０２において、ＲＵ２００は、ＤＵ１００から送信された上り信号指示情報及びユーザ装置３００の識別子を受信し、受信した上り信号指示情報から抽出した上り信号情報及び識別子を保持する。上り信号情報及び識別子は、以降におけるユーザ装置３００からの上り信号の受信に利用するため、ＲＵ２００に保持される。
【００３９】  ステップＳ１０３において、ＲＵ２００は、ユーザ装置３００に上り指示信号を送信する。具体的には、ＲＵ２００は、ＤＵ１００により割り当てられたＰＤＣＣＨによりアップリンクグラントをユーザ装置３００に送信してもよい。
【００４０】  ステップＳ１０４において、ユーザ装置３００は、受信した上り信号指示に従って、ＲＵ２００に上り信号を送信する。具体的には、ユーザ装置３００は、ＲＵ２００から通知されたアップリンクグラントにおいて指定されたＰＵＳＣＨ（Ｐｈｙｓｉｃａｌ  Ｕｐｌｉｎｋ  Ｓｈａｒｅｄ  Ｃｈａｎｎｅｌ）によりＲＵ２００に上り信号を送信する。
【００４１】  ステップＳ１０５において、ＲＵ２００は、保持している上り信号情報及び識別子の一方又は双方に基づき、ユーザ装置３００から送信された上り信号を受信する。具体的には、ＲＵ２００は、ステップＳ１０２において保持した上り信号情報により指定される周波数及び／又は受信タイミングとユーザ装置３００の識別子とに基づき、ＰＵＳＣＨにおいてユーザ装置３００から受信した上り信号を特定する。
【００４２】  ステップＳ１０６において、ＲＵ２００は、ユーザ装置３００からの上り信号からデータ情報を抽出すると共に、当該上り信号に基づき上り通信品質を推定する。具体的には、ＲＵ２００は、保持しているユーザ装置３００の識別子に基づき、受信した上り信号から当該ユーザ装置３００のデータ情報（Ｕ−ｐｌａｎｅデータ）を抽出する。なお、複数のユーザ装置３００から上り信号を受信した場合、ＲＵ２００は、各ユーザ装置３００の識別子に基づきユーザ装置毎にデータ情報を抽出してもよい。
【００４３】  さらに、ＲＵ２００は、例えば、上り信号に含まれるリファレンス信号から、ユーザ装置３００とＲＵ２００との間の上り通信品質を推定してもよい。具体的には、ユーザ装置３００は、ＤＭＲＳ（Ｄｅｍｏｄｕｌａｔｉｏｎ  Ｒｅｆｅｒｅｎｃｅ  Ｓｉｇｎａｌ）を含む上り信号をＲＵ２００に送信し、ＲＵ２００は、受信したＤＭＲＳからＰＭＩ（Ｐｒｅｃｏｄｉｎｇ  Ｍａｔｒｉｘ  Ｉｎｄｉｃａｔｏｒ）、受信ＳＩＲ（Ｓｉｇｎａｌ−ｔｏ−Ｉｎｔｅｒｆｅｒｅｎｃｅ  Ｒａｔｉｏ）等を推定する。なお、ＰＭＩは、上り信号のＰＭＩであるが、時分割複信（ＴＤＤ）の場合は下り信号のＰＭＩであってもよい。
【００４４】  ステップＳ１０７において、ＲＵ２００は、抽出したデータ情報及び推定した上り通信品質の一方又は双方をＤＵ１００に送信する。具体的には、ＲＵ２００は、抽出したユーザ装置３００のデータ情報（Ｕ−ｐｌａｎｅデータ）、推定したＰＭＩ、受信ＳＩＲ等をＤＵ１００に送信する。例えば、ＲＵ２００が復号処理機能を有している場合、当該データ情報は、復号化後のデータ（ビット列信号）、尤度情報等であってもよい。他方、ＲＵ２００が復号処理機能を有していない場合、当該データ情報は、ユーザ装置３００から受信したＩ／Ｑデータ又はベースバンド信号であってもよい。また、ＲＵ２００は、ユーザ装置３００から上り信号を受信する毎に、データ情報をＤＵ１００に送信してもよいし、あるいは、一定の期間内に受信したユーザ装置３００からのデータ情報を保持し、当該期間の経過後に保持したデータ情報をＤＵ１００にまとめて送信してもよい。
【００４５】  また、ＲＵ２００は、ＰＭＩ及び受信ＳＩＲ等の上り通信品質をＩ／Ｑデータ値、Ｉ／Ｑデータ値の量子化値、予め規定されたインデックス値等によりＤＵ１００に通知してもよい。また、ＲＵ２００は、上り通信品質を帯域全体の通信品質として管理してもよいし、より粒度の高いリソースブロック単位の通信品質として管理してもよい。ＲＵ２００は、ユーザ装置３００から上り信号を受信する毎に、上り通信品質をＤＵ１００に送信してもよいし、あるいは、一定の期間内に受信したユーザ装置３００からの上り信号に基づき上り通信品質を推定し、当該期間の経過後に推定した上り通信品質をＤＵ１００に送信してもよい。
【００４６】  ステップＳ１０８において、ＤＵ１００は、データ情報及び上り通信品質の一方又は双方を受信し、受信した上り通信品質に基づきユーザ装置３００に対して以降のアップリンク送信をスケジューリングする。例えば、ＤＵ１００は、受信したデータ情報をコアネットワークを介し送信先装置に送信すると共に、送信対象のアップリンクデータがユーザ装置３００にある場合、受信した上り通信品質に基づきユーザ装置３００に対する以降のスケジューリングを実行する。
【００４７】  なお、ＳＰＳ又は繰り返し送信では、ＤＵ１００は、ユーザ装置３００の各送信機会に対して上り信号指示情報をＲＵ２００に送信しない。例えば、ＳＰＳがユーザ装置３００に対して設定されると、ＤＵ１００は、上述したステップＳ１０１において、ユーザ装置３００に設定したＳＰＳの送信周期、送信リソース等を示すＳＰＳ関連情報と共に、ユーザ装置３００の識別子としてＳＰＳ  Ｃ−ＲＮＴＩをＲＵ２００に送信してもよい。当該ＳＰＳ関連情報及びＳＰＳ  Ｃ−ＲＮＴＩを受信すると、ＲＵ２００は、ステップＳ１０２において、ユーザ装置３００に対して上り信号情報に示された送信周期、送信リソース等によるＳＰＳが設定されたと認識し、受信したＳＰＳ関連情報及びＳＰＳ  Ｃ−ＲＮＴＩを保持する。その後、ＲＵ２００は、当該ＳＰＳ関連情報に基づきユーザ装置３００からの上り信号の送信周波数及び送信タイミングを判断し、判断した送信周波数及び送信タイミングに基づきユーザ装置３００から送信された上り信号を適切に受信する。なお、ユーザ装置３００に割り当てられた送信機会において、ＲＵ２００が所定の回数以上ユーザ装置３００から上り信号を受信できなかった場合、ＲＵ２００は、ユーザ装置３００がＳＰＳを解放したとみなしてもよい。ここで、当該所定の回数は、適応的に設定されてもよいし、又は半静的な固定値であってもよい。ユーザ装置３００のＴＡ（Ｔｉｍｉｎｇ  Ａｄｖａｎｃｅ）タイマが満了した場合、ユーザ装置３００は、ＳＰＳリソースを解放し、ＲＵ２００は、ユーザ装置３００がＳＰＳを解放したとみなしてもよい。
【００４８】  また、繰り返し送信がユーザ装置３００に対して設定されると、ＤＵ１００は、上述したステップＳ１０１において、ユーザ装置３００に設定した繰り返し送信における上り信号の送信周波数位置、繰り返し回数等を示す繰り返し送信関連情報を上り信号情報としてＲＵ２００に送信してもよい。当該繰り返し送信関連情報を受信すると、ＲＵ２００は、ステップＳ１０２において、ユーザ装置３００に対して繰り返し送信が設定されたと認識し、受信した繰り返し送信関連情報及びユーザ装置３００の識別子を保持する。その後、ＲＵ２００は、当該繰り返し送信関連情報に基づきユーザ装置３００からの上り信号の送信周波数位置及び繰り返し回数を判断し、判断した送信周波数位置及び繰り返し回数に基づきユーザ装置３００から送信された上り信号を適切に受信する。なお、ＲＵ２００は、上り信号の受信が完了したと判断できるまで、無効値又は間欠送信（ＤＴＸ）情報をＤＵ１００に通知してもよいし、又はＤＵ１００への送信を留保してもよい。また、ＲＵ２００は、上り信号の受信が完了したと判断した場合、ＤＵ１００から送信されたユーザ装置３００の上り信号の繰り返し回数に達していない場合であっても、その後の上り信号の受信処理を停止すると共に、ユーザ装置３００に対し上り信号の停止を指示する信号を送信してもよい。
【００４９】  一実施例では、ＤＵ１００は、ＲＵ２００及び他のＲＵ２０１に対してセル間協調送受信（Ｃｏｏｒｄｉｎａｔｅｄ  Ｍｕｌｔｉ−ｐｏｉｎｔ  ｔｒａｎｓｍｉｓｓｉｏｎ／ｒｅｃｅｐｔｉｏｎ：ＣｏＭＰ）を適用し、ＲＵ２００を介しユーザ装置３００から受信した上り信号及びＲＵ２０１を介しユーザ装置３００から受信した上り信号を復号することによって、ユーザ装置３００から送信されたデータ情報を取得してもよい。具体的には、図６に示されるように、ＤＵ１００は、ＲＵ２００と当該ＲＵ２００に隣接するＲＵ２０１とを用いて、アップリンクＣｏＭＰを実行してもよい。例えば、ＤＵ１００は、ＲＵ２００において受信したユーザ装置３００からの上り信号（所望信号）と、ＲＵ２０１において受信したユーザ装置３００からの上り信号（干渉信号）とを取得し、これらの上り信号を合成（例えば、干渉除去）することによって、干渉が低減されたデータ情報を取得することができる。ＲＵ２００，２０１からＤＵ１００に送信される情報は、Ｉ／Ｑデータ値としてのＵ−ｐｌａｎｅ信号、チャネル推定情報、通信品質等であってもよい。ＤＵ１００は、ＲＵ２００，２０１から提供されるこれらの情報に基づき上り信号を復号する。なお、アップリンクＣｏＭＰは、ＤＵ１００からＲＵ２００，２０１に通知することによって、適応的に適用されてもよい。換言すると、復号処理機能部がＤＵ１００とＲＵ２００，２０１との間で適応的に変更されてもよい。当該通知は、ＦＨフレームプロトコルなどを用いて送信されてもよい。なお、ＣｏＭＰが適用されない場合、図５を参照して説明したアップリンク送信処理が実行されてもよい。
【００５０】  また、ＤＵ１００は、ＲＵ２００において受信したユーザ装置ＵＥ１，ＵＥ２の上り信号と、ＲＵ２０１において受信したユーザ装置ＵＥ１，ＵＥ２の上り信号とを取得し、これらの上り信号を復号することによって、ユーザ装置ＵＥ１，ＵＥ２のデータ情報を取得してもよい。すなわち、ＤＵ１００は、他方のユーザ装置ＵＥ２の上り信号を用いて、ユーザ装置ＵＥ１のデータ情報に関する干渉を除去する。
【００５１】  アップリンクＣｏＭＰでは、上述したように、ＤＵ１００は、ＲＵ２００，２０１からそれぞれ取得した上り信号を単純に合成してもよいし、あるいは、ユーザ装置ＵＥ１，ＵＥ２の送信周波数及び／又は送信タイミングを調整してもよい。例えば、ＤＵ１００は、ＲＵ２００においてユーザ装置ＵＥ１に上り信号の送信を指示する場合、ＲＵ２０１ではユーザ装置ＵＥ２に上り信号の送信を指示しないようにしてもよい。これにより、ユーザ装置ＵＥ１が上り信号を送信するとき、ＲＵ２００は、ユーザ装置ＵＥ１からの所望信号のみを受信し、ＲＵ２０１は、ユーザ装置ＵＥ１からの干渉信号のみを受信することができる。この結果、ＤＵ１００は、ユーザ装置ＵＥ１のみからの所望信号と干渉信号とを取得することができ、取得した所望信号及び干渉信号に対して干渉除去を実行することによって、より精度の高いデータ情報を取得することが可能である。あるいは、ＤＵ１００は、ＲＵ２００においてユーザ装置ＵＥ１，ＵＥ＃２に上り信号の送信を指示する場合、ユーザ装置ＵＥ１，ＵＥ２に異なる周波数位置を割り当ててもよい。これにより、ユーザ装置ＵＥ１，ＵＥ２が上り信号を送信するとき、ＲＵ２００，２０１は、異なる周波数位置でユーザ装置ＵＥ１，ＵＥ２からの所望信号及び干渉信号を受信することができる。この結果、ＤＵ１００は、ユーザ装置ＵＥ１，ＵＥ２のそれぞれからの所望信号と干渉信号とを取得することができ、取得した所望信号及び干渉信号に対して干渉除去を実行することによって、より精度の高いデータ情報を取得することが可能である。
【００５２】  一実施例では、ＤＵ１００又はＲＵ２００は、ユーザ装置３００について推定した上り通信品質に基づき、アップリンクＭＩＭＯにおける送信ランク数を推定してもよい。具体的には、ＤＵ１００又はＲＵ２００は、ＰＵＳＣＨによりユーザ装置３００から送信された上り信号のＤＭＲＳから推定された受信ＳＩＲに基づき、アップリンクＭＩＭＯにおける最適なランクインジケータ（ＲＩ）を推定してもよい。ＤＵ１００は、推定したＲＩを用いて、以降においてユーザ装置３００にＰＵＳＣＨをスケジューリングすることができる。
【００５３】  例えば、ＲＵ２００がＲＩを推定するケースでは、ＲＵ２００は、ユーザ装置３００から送信された上り信号におけるＤＭＲＳから受信ＳＩＲを推定し、当該受信ＳＩＲに基づき最適なＲＩを推定する。ＲＵ２００は、例えば、ＲＩインデックスを用いて、推定したＲＩをＤＵ１００に通知してもよい。ＤＵ１００は、推定したＲＩを用いて以降においてユーザ装置３００にＰＵＳＣＨをスケジューリングすることができる。
【００５４】  他方、ＤＵ１００がＲＩを推定するケースでは、ＤＵ１００は、ＲＵ２００から上り通信品質として受信した受信ＳＩＲに基づき最適なＲＩを推定する。ＤＵ１００は、推定したＲＩを用いて以降においてユーザ装置３００にＰＵＳＣＨをスケジューリングすると共に、例えば、ＲＩインデックスを用いて推定したＲＩをＲＵ２００に通知する。
【００５５】  一実施例では、ＤＵ１００は、ユーザ装置ＵＥ１の近傍の他のユーザ装置ＵＥ２についてＲＵ２００から受信した上り通信品質に基づき、ユーザ装置ＵＥ１の上り通信品質を推定してもよい。すなわち、図７に示されるように、複数のユーザ装置から上り信号を受信する場合、ＤＵ１００は、ユーザ装置ＵＥ１の近傍のユーザ装置ＵＥ２からの上り信号に基づき取得した上り通信品質を用いて、ユーザ装置ＵＥ１に対してスケジューリングを実行してもよい。
【００５６】  具体的には、ＤＵ１００は、ＲＵ２００のセル内における各ユーザ装置３００の位置を把握する。例えば、ＤＵ１００は、各ユーザ装置３００のＴＡ（Ｔｉｍｉｎｇ  Ａｌｉｇｎｍｅｎｔ）情報及びＰＭＩ情報に基づきＲＵ２００からの各ユーザ装置３００の距離及び方位を把握することによって、各ユーザ装置３００の位置を推定してもよい。例えば、ＤＵ１００は、図７に示されるように、近くに位置するユーザ装置ＵＥ１，ＵＥ２をグループ化し、各グループについて、グループ内のユーザ装置ＵＥ１，ＵＥ２から取得した個別の上り通信品質に基づき、帯域全体の周波数情報などの上り通信品質を把握する。ＤＵ１００は、収集したグループの上り通信品質に基づき、当該グループ内のユーザ装置ＵＥ１，ＵＥ２に対してスケジューリングを行うことができる。これにより、各ユーザ装置３００に個別の上り通信品質に基づくスケジューリングと比較して、ＤＵ１００は、帯域全体の上り通信品質を利用することが可能になり、より適切なスケジューリングを行うことが可能になる。また、ユーザ装置ＵＥ１の上り通信品質が取得されていない場合であっても、ＤＵ１００は、ユーザ装置ＵＥ１のグループの上り通信品質に基づきユーザ装置ＵＥ１に対して適切なリソースをスケジューリングすることが可能になる。
【００５７】  なお、複数のユーザ装置３００をグループ化する際、ＤＵ１００は、移動中のユーザ装置３００を排除してもよい。これは、移動中のユーザ装置３００の上り通信品質を静止しているユーザ装置３００に適用することは、適切なスケジューリングの妨げになるためである。具体的には、ＤＵ１００は、各ユーザ装置３００についてＰＭＩに基づき、ユーザ装置３００が移動しているか判断してもよい。例えば、当該ＰＭＩは、上述したように、ＲＵ２００により推定され、ＤＵ１００に通知されてもよい。
【００５８】  次に、図８を参照して、本発明の一実施例による無線ネットワーク制御システムを説明する。図８は、本発明の一実施例による無線ネットワーク制御システムの機能構成を示すブロック図である。上述したように、無線ネットワーク制御システム５０は、スケジューリング機能を実行するＤＵ１００と、フロントホールを介しＤＵ１００に通信接続され、無線物理レイヤ機能を実行する１つ以上のＲＵ２００を有する。ＤＵ１００とＲＵ２００は、上述したアップリンク送信処理を連携して実現する。
【００５９】  図８に示されるように、ＤＵ１００は、スケジューリング部１１０及びＤＵ側フロントホール（ＦＨ）インタフェース部１２０を有し、ＲＵ２００は、ＲＵ側フロントホール（ＦＨ）インタフェース部２１０及び無線制御部２２０を有する。
【００６０】  スケジューリング部１１０は、ユーザ装置３００に対してリソースをスケジューリングする。例えば、スケジューリング部１１０は、ＲＵ２００を介しユーザ装置３００から受信したアップリンク送信に対するスケジューリングリクエストに応答して、ユーザ装置３００に対してＰＵＳＣＨをスケジューリングする。スケジューリング部１１０は、受信した上り通信品質に基づきユーザ装置３００に対してスケジューリングを実行してもよい。すなわち、当該スケジューリングは、ＲＵ２００から取得したユーザ装置３００とＲＵ２００との間の上り通信品質に基づき行われる。
【００６１】  また、スケジューリング部１１０は、ユーザ装置３００に対してＳＰＳ又は繰り返し送信をスケジューリングしてもよい。この場合、スケジューリング部１１０は、ＤＵ側ＦＨインタフェース部１２０を介しＲＵ２００にＳＰＳ関連情報又は繰り返し送信関連情報を通知してもよい。
【００６２】  また、スケジューリング部１１０は、ユーザ装置ＵＥ１の近傍の他のユーザ装置ＵＥ２についてＲＵ２００から受信した上り通信品質に基づき、ユーザ装置ＵＥ１の上り通信品質を推定し、推定した上り通信品質に基づき、ユーザ装置ＵＥ１に対してアップリンク送信をスケジューリングしてもよい。具体的には、スケジューリング部１１０は、各ユーザ装置３００のＴＡ情報及びＰＭＩ情報に基づきＲＵ２００からの各ユーザ装置３００の距離及び方位を把握することによって、各ユーザ装置３００の位置を推定し、ユーザ装置ＵＥ１，ＵＥ２をグループ化してもよい。この場合、スケジューリング部１１０は、各グループについて帯域全体の周波数情報などの上り通信品質を導出し、当該グループ内のユーザ装置ＵＥ１，ＵＥ２に対してスケジューリングを行ってもよい。なお、スケジューリング部１１０は、移動中のユーザ装置３００をグループ化から排除してもよい。
【００６３】  ＤＵ側ＦＨインタフェース部１２０は、ＲＵ２００とのインタフェースを提供する。具体的には、ＤＵ側ＦＨインタフェース部１２０は、スケジューリング部１１０によってユーザ装置３００に対してスケジューリングされたアップリンク送信について、上り信号指示情報とユーザ装置３００の識別子とをＲＵ側ＦＲインタフェース部２１０に送信する。例えば、上り信号指示情報は、ユーザ装置３００に対してスケジューリングされたリソース、送信方式等を示す上り信号情報を含んでもよく、当該上り信号情報は、ユーザ装置３００からの上り送信の周波数情報及びタイミング情報の１つ以上を含むものであってもよい。具体的には、上り信号情報は、送信キャリア情報、周波数ホッピングの有無、周波数割当て位置、ＭＣＳ、ＲＶ、新規データか否かを示すフラグ、サイクリックシフト及びコード多重等を含む符号化情報、ＣＳＩ要求の有無等であってもよい。しかしながら、本発明による上り信号情報は、これに限定されず、ユーザ装置３００がアップリンク送信するのに用いられる何れかの情報を含むものであってもよい。
【００６４】  また、ユーザ装置３００の識別子は、例えば、Ｃ−ＲＮＴＩ、ＳＰＳ  Ｃ−ＲＮＴＩ、スケジューリングされたＰＤＣＣＨのＣＣＥインデックス、Ｓ−ＴＭＳＩ、ＩＭＳＩ、ＤＵ１００から通知されるＰＤＣＣＨに関連付けされたインデックス値、ｅＮＢ内のインプリシットな識別情報等であってもよい。なお、スケジューリング部１１０が、ユーザ装置３００に対してＳＰＳ又は繰り返し送信を設定した場合、２回目以降の各送信機会に対してユーザ装置３００にアップリンクグラントを送信するためのＰＤＣＣＨはスケジューリングされない。この場合、周波数割当て位置及び割当てタイミング等に基づきユーザ装置３００が特定されてもよい。
【００６５】  また、スケジューリング部１１０がＲＵ２００，２０１に対してＣｏＭＰを適用した場合、ＤＵ側ＦＨインタフェース部１２０は、ＲＵ２００を介しユーザ装置３００から受信した上り信号及びＲＵ２０１を介しユーザ装置３００から受信した上り信号を復号することによって、ユーザ装置３００から送信されたデータ情報を取得してもよい。
【００６６】  ＲＵ側ＦＨインタフェース部２１０は、ＤＵ１００とのインタフェースを提供する。ＲＵ側ＦＨインタフェース部２１０は、ＤＵ側ＦＨインタフェース部１２０から上り信号指示情報と識別子とを受信し、上り信号指示情報から上り信号情報を抽出してもよい。また、ＲＵ側ＦＨインタフェース部２１０は、ユーザ装置３００からの上り信号からデータ情報を抽出すると共に、上り信号に基づき上り通信品質を推定し、抽出したデータ情報及び推定した上り通信品質の一方又は双方をＤＵ側ＦＨインタフェース部１２０に送信する。
【００６７】  例えば、ＲＵ側ＦＨインタフェース部２１０は、抽出したユーザ装置３００のデータ情報（Ｕ−ｐｌａｎｅデータ）、推定したＰＭＩ、受信ＳＩＲ等をＤＵ側ＦＨインタフェース部１２０に送信してもよい。例えば、当該データ情報は、復号化後のデータ（ビット列信号）、尤度情報等であってもよいし、ユーザ装置３００から受信したＩ／Ｑデータ又はベースバンド信号であってもよい。同様に、ＲＵ側ＦＨインタフェース部２１０は、推定したＰＭＩ及び受信ＳＩＲをＩ／Ｑデータ値、Ｉ／Ｑデータ値の量子化値、予め規定されたインデックス値等によりＤＵ側ＦＨインタフェース部１２０に通知してもよい。また、ＲＵ側ＦＨインタフェース部２１０は、ユーザ装置３００から上り信号を受信する毎に、データ情報及び／又は上り通信品質をＤＵ側ＦＨインタフェース部１２０に送信してもよいし、あるいは、一定の期間内に受信したユーザ装置３００からのデータ情報及び／又は上り通信品質を保持し、当該期間の経過後に保持したデータ情報及び／又は上り通信品質をＤＵ側ＦＨインタフェース部１２０にまとめて送信してもよい。
【００６８】  無線制御部２２０は、ＲＵ側ＦＨインタフェース部２１０により抽出された上り信号情報と識別子とを保持し、ユーザ装置３００に上り信号指示を送信し、保持している上り信号情報及び識別子の一方又は双方に基づき、ユーザ装置３００から送信された上り信号を受信する。具体的には、無線制御部２２０は、保持した上り信号情報により指定される周波数及び／又は受信タイミングとユーザ装置３００の識別子とに基づき、ＰＵＳＣＨにおいてユーザ装置３００から受信した上り信号を特定してもよい。それから、無線制御部２２０は、ユーザ装置３００からの上り信号からデータ情報を抽出すると共に、当該上り信号に基づき上り通信品質を推定する。具体的には、無線制御部２２０は、保持しているユーザ装置３００の識別子に基づき、受信した上り信号から当該ユーザ装置３００のデータ情報（Ｕ−ｐｌａｎｅデータ）を抽出する。なお、複数のユーザ装置３００から上り信号を受信した場合、ＲＵ２００は、各ユーザ装置３００の識別子に基づきユーザ装置毎にデータ情報を抽出してもよい。さらに、無線制御部２２０は、例えば、上り信号に含まれるリファレンス信号から、ユーザ装置３００とＲＵ２００との間の上り通信品質を推定してもよい。具体的には、無線制御部２２０は、ＤＭＲＳからＰＭＩ、受信ＳＩＲ等を推定する。
【００６９】  なお、上述した実施例は、ＤＵ１００及びＲＵ２００を参照して説明されたが、本発明は、これに限定されるものでなく、スケジューリング機能を有する何れかの基地局と無線物理レイヤ機能を有する何れかの基地局との間のインタフェースに適用可能である。
【００７０】  なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００７１】  例えば、本発明の一実施の形態における基地局１００，２００及びユーザ装置３００は、本発明の無線通信方法の処理を行うコンピュータとして機能してもよい。図９は、本発明の一実施例による基地局１００，２００及びユーザ装置３００のハードウェア構成を示すブロック図である。上述の基地局１００，２００及びユーザ装置３００は、物理的には、プロセッサ１００１、メモリ１００２、ストレージ１００３、通信装置１００４、入力装置１００５、出力装置１００６、バス１００７などを含むコンピュータ装置として構成されてもよい。
【００７２】  なお、以下の説明では、「装置」という文言は、回路、デバイス、ユニットなどに読み替えることができる。基地局１００，２００及びユーザ装置３００のハードウェア構成は、図に示した各装置を１つ又は複数含むように構成されてもよいし、一部の装置を含まずに構成されてもよい。
【００７３】  基地局１００，２００及びユーザ装置３００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００７４】  プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【００７５】  また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００，２００及びユーザ装置３００の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７６】  メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００７７】  ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７８】  通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の各構成要素は、通信装置１００４で実現されてもよい。
【００７９】  入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８０】  また、プロセッサ１００１やメモリ１００２などの各装置は、情報を通信するためのバス１００７で接続される。バス１００７は、単一のバスで構成されてもよいし、装置間で異なるバスで構成されてもよい。
【００８１】  また、基地局１００，２００及びユーザ装置３００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８２】  情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８３】  本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８４】  本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８５】  本明細書において基地局１００，２００によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【００８６】  情報等は、上位レイヤ(または下位レイヤ)から下位レイヤ(または上位レイヤ)へ出力され得る。複数のネットワークノードを介して入出力されてもよい。
【００８７】  入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８８】  判定は、１ビットで表される値（０か１か）によって行われてもよいし、真偽値（Boolean：trueまたはfalse）によって行われてもよいし、数値の比較（例えば、所定の値との比較）によって行われてもよい。
【００８９】  本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９０】  以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９１】  ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９２】  また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００９３】  本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９４】  なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００９５】  本明細書で使用する「システム」および「ネットワーク」という用語は、互換的に使用される。
【００９６】  また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００９７】  上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００９８】  基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【００９９】  移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１００】  本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０１】  「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１０２】  参照信号は、ＲＳ（Reference Signal）と略称することもでき、適用される標準によってパイロット（Pilot）と呼ばれてもよい。
【０１０３】  本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０４】  本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１０５】  上記の各装置の構成における「手段」を、「部」、「回路」、「デバイス」等に置き換えてもよい。
【０１０６】  「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【０１０７】  無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Ｔｒａｎｓｍｉｓｓｉｏｎ  Ｔｉｍｅ  Ｉｎｔｅｒｖａｌ）と呼んでもよい。例えば、1サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１０８】  以上、本発明の実施例について詳述したが、本発明は上述した特定の実施形態に限定されるものではなく、特許請求の範囲に記載された本発明の要旨の範囲内において、種々の変形・変更が可能である。
【０１０９】  本出願は、２０１６年４月８日に出願した日本国特許出願２０１６−０７８５０２号の優先権の利益に基づき、これを主張するものであり、２０１６−０７８５０２号の全内容を本出願に援用する。
【符号の説明】
【０１１０】１０  無線通信システム５０  無線ネットワーク制御システム１００  デジタルユニット（ＤＵ）２００  リモートユニット（ＲＵ）３００  ユーザ装置
【図１】
2017175606.tif 000003
【図２】
2017175606.tif 000004
【図３】
2017175606.tif 000005
【図４】
2017175606.tif 000006
【図５】
2017175606.tif 000007
【図６】
2017175606.tif 000008
【図７】
2017175606.tif 000009
【図８】
2017175606.tif 000010
【図９】
2017175606.tif 000011
【国際調査報告】
2017175606.tif 000012
2017175606.tif 000013
2017175606.tif 000014